(57)【特許請求の範囲】
【請求項１】
電線に接続された端子を収容するハウジングと、このハウジングに組付けられ前記端子の接続部を前記ハウジングの外部に露出させて前記端子を正規位置で保持し前記端子が前記ハウジングから抜けるのを防止するフロントホルダとを備えたコネクタであって、
前記ハウジングには、前記端子を前記ハウジングに挿入可能な挿入隙間を有し、前記フロントホルダが組付けられた状態で前記端子を係止して前記端子が前記ハウジングの前記電線側から抜けるのを防止するハウジング係止突部が設けられ、
前記ハウジング係止突部は、前記ハウジングの内壁から撓むことなく内部に向けて突設され、前記フロントホルダが組付けられた状態で、前記挿入隙間から前記ハウジング係止突部側に移動された前記端子を係止していることを特徴とするコネクタ。
【請求項２】
請求項１記載のコネクタであって、
前記フロントホルダには、前記ハウジング係止突部と前記端子の長さ方向と直交する方向に対向して配置され、前記ハウジングに前記端子が収容された状態で前記フロントホルダを前記ハウジングに組付けるときに前記挿入隙間に挿入され、前記フロントホルダが前記ハウジングに組付けられた状態で前記端子を係止して前記端子が前記ハウジングの前記電線側から抜けるのを防止するホルダ係止突部が設けられていることを特徴とするコネクタ。
【請求項３】
請求項２記載のコネクタであって、
前記ホルダ係止突部は、前記フロントホルダの内壁から撓むことなく前記ハウジング係止突部に向けて突設されていることを特徴とするコネクタ。
【請求項４】
請求項２又は３記載のコネクタであって、
前記ハウジング係止突部と前記ホルダ係止突部とは、前記端子の長さ方向の同一位置に設けられ、前記端子に設けられた係合孔部に係合されることを特徴とするコネクタ。
【請求項５】
請求項２乃至４のいずれか１項に記載のコネクタであって、
前記ハウジング係止突部には、前記端子を前記挿入隙間に導く端子案内部が設けられ、前記ホルダ係止突部には、前記ホルダ係止突部を前記挿入隙間に導くホルダ案内部が設けられていることを特徴とするコネクタ。
【発明の詳細な説明】
【技術分野】
【０００１】
本発明は、コネクタに関する。
【背景技術】
【０００２】
従来、コネクタとしては、電線に接続された端子を収容するハウジングを備え、このハウジングに端子を係止して端子がハウジングの電線側から抜けるのを防止するハウジングランスが設けられたものが知られている（例えば、特許文献１参照）。
【０００３】
このようなコネクタでは、端子の接続部をハウジングの外部に露出させようにハウジングに組付けられ、端子がハウジングから抜けるのを防止するフロントホルダを備えている。
【先行技術文献】
【特許文献】
【０００４】
【特許文献１】特開２００９−２１１９７６号公報
【発明の概要】
【発明が解決しようとする課題】
【０００５】
しかしながら、上記特許文献１のようなコネクタでは、端子がハウジングの電線側から抜けるのを防止するハウジングランスが撓み可能であるので、電線の屈曲などの外力が撓みを可能とするハウジングランスの基部に集中し、最悪の場合、基部に破断が発生する恐れがあった。このようにハウジングランスに損傷が発生してしまうと、ハウジングに対する端子の保持が不安定となってしまう。
【０００６】
そこで、この発明は、ハウジングに対する端子の保持安定性を向上することができるコネクタの提供を目的としている。
【課題を解決するための手段】
【０００７】
請求項１記載の発明は、電線に接続された端子を収容するハウジングと、このハウジングに組付けられ前記端子の接続部を前記ハウジングの外部に露出させて前記端子を正規位置で保持し前記端子が前記ハウジングから抜けるのを防止するフロントホルダとを備えたコネクタであって、前記ハウジングには、前記端子を前記ハウジングに挿入可能な挿入隙間を有し、前記フロントホルダが組付けられた状態で前記端子を係止して前記端子が前記ハウジングの前記電線側から抜けるのを防止するハウジング係止突部が設けられ、前記ハウジング係止突部は、前記ハウジングの内壁から撓むことなく内部に向けて突設され、前記フロントホルダが組付けられた状態で、前記挿入隙間から前記ハウジング係止突部側に移動された前記端子を係止していることを特徴とする。
【０００８】
このコネクタでは、ハウジングに、端子をハウジングに挿入可能な挿入隙間を有し、フロントホルダが組付けられた状態で端子を係止して端子がハウジングの電線側から抜けるのを防止するハウジング係止突部が設けられているので、ハウジング係止突部をランスのような撓み可能に設ける必要がなく、ハウジング係止突部の外力に対する耐力を向上することができる。
【０００９】
従って、このようなコネクタでは、ハウジング係止突部の外力による損傷を大幅に抑制することができ、ハウジングに対する端子の保持安定性を向上することができる。
【００１０】
請求項２記載の発明は、請求項１記載のコネクタであって、前記フロントホルダには、前記ハウジング係止突部と前記端子の長さ方向と直交する方向に対向して配置され、前記ハウジングに前記端子が収容された状態で前記フロントホルダを前記ハウジングに組付けるときに前記挿入隙間に挿入され、前記フロントホルダが前記ハウジングに組付けられた状態で前記端子を係止して前記端子が前記ハウジングの前記電線側から抜けるのを防止するホルダ係止突部が設けられていることを特徴とする。
【００１１】
このコネクタでは、端子がハウジング係止突部とホルダ係止突部とに係止されるので、より強固に端子の抜けを防止でき、ハウジングに対する端子の保持安定性をさらに向上することができる。
【００１２】
また、ハウジング係止突部とホルダ係止突部とは、端子の長さ方向と直交する方向に対向して配置されているので、端子に外力が加わったとしても、少なくともいずれか一方の係止突部によって端子を係止することができる。
【００１３】
さらに、ホルダ係止突部は、ハウジング係止突部が有する挿入隙間に挿入されるので、ホルダ係止突部をランスのような撓み可能に設ける必要がなく、ホルダ係止突部の外力に対する耐力を向上することができる。
請求項３記載の発明は、請求項２記載のコネクタであって、前記ホルダ係止突部は、前記フロントホルダの内壁から撓むことなく前記ハウジング係止突部に向けて突設されていることを特徴とする。
【００１４】
請求項４記載の発明は、請求項２又は３記載のコネクタであって、前記ハウジング係止突部と前記ホルダ係止突部とは、前記端子の長さ方向の同一位置に設けられ、前記端子に設けられた係合孔部に係合されることを特徴とする。
【００１５】
このコネクタでは、ハウジング係止突部とホルダ係止突部とが、端子の長さ方向の同一位置に設けられ、端子に設けられた係合孔部に係合されるので、端子の係合孔部を共用化することができ、端子の構造を簡易化することができる。
【００１６】
請求項５記載の発明は、請求項２乃至４のいずれか１項に記載のコネクタであって、前記ハウジング係止突部には、前記端子を前記挿入隙間に導く端子案内部が設けられ、前記ホルダ係止突部には、前記ホルダ係止突部を前記挿入隙間に導くホルダ案内部が設けられていることを特徴とする。
【００１７】
このコネクタでは、ハウジング係止突部に、端子を挿入隙間に導く端子案内部が設けられ、ホルダ係止突部に、ホルダ係止突部を挿入隙間に導くホルダ案内部が設けられているので、ハウジングに対する端子及びフロントホルダの組付けにより容易にハウジング係止突部及びホルダ係止突部を端子に係止させることができ、組付性を向上することができる。
【発明の効果】
【００１８】
本発明によれば、ハウジングに対する端子の保持安定性を向上することができるコネクタを提供することができるという効果を奏する。
【図面の簡単な説明】
【００１９】
【図１】本発明の実施の形態に係るコネクタの斜視図である。
【図２】本発明の実施の形態に係るコネクタの分解斜視図である。
【図３】本発明の実施の形態に係るコネクタの要部拡大斜視図である。
【図４】本発明の実施の形態に係るコネクタの要部拡大断面図である。
【発明を実施するための形態】
【００２０】
図１〜図４を用いて本発明の実施の形態に係るコネクタについて説明する。
【００２１】
本実施の形態に係るコネクタ１は、電線３に接続された端子５を収容するハウジング７と、このハウジング７に組付けられ端子５の接続部９をハウジング７の外部に露出させて端子５を正規位置で保持し端子５がハウジング７から抜けるのを防止するフロントホルダ１１とを備えている。
【００２２】
そして、ハウジング７には、端子５をハウジング７に挿入可能な挿入隙間１３を有し、フロントホルダ１１が組付けられた状態で端子５を係止して端子５がハウジング７の電線３側から抜けるのを防止するハウジング係止突部１５が設けられている。
【００２３】
また、フロントホルダ１１には、ハウジング係止突部１５と端子５の長さ方向と直交する方向に対向して配置され、ハウジング７に端子５が収容された状態でフロントホルダ１１をハウジング７に組付けるときに挿入隙間１３に挿入され、フロントホルダ１１がハウジング７に組付けられた状態で端子５を係止して端子５がハウジング７の電線３側から抜けるのを防止するホルダ係止突部１７が設けられている。
【００２４】
さらに、ハウジング係止突部１５とホルダ係止突部１７とは、端子５の長さ方向の同一位置に設けられ、端子５に設けられた係合孔部１９に係合される。
【００２５】
また、ハウジング係止突部１５には、端子５を挿入隙間１３に導く端子案内部２１が設けられ、ホルダ係止突部１７には、ホルダ係止突部１７を挿入隙間１３に導くホルダ案内部２３が設けられている。
【００２６】
図１〜図４に示すように、コネクタ１は、電線３に接続された端子５と、ハウジング７と、シェル２５と、シールドリング２７と、防水部材２９と、リヤホルダ３１と、パッキン３３と、フロントホルダ１１とから構成されている。
【００２７】
端子５は、負荷などに接続された複数（ここでは２本）の各電線３の端部に圧着などによって電気的に接続された端子金具からなり、筐体（不図示）に収容された強電回路に接続部９が接続される。この端子５は、ハウジング７内に収容される。
【００２８】
ハウジング７は、絶縁性樹脂からなり、筒状に形成され、内部に端子５を収容する端子収容部３５と、この端子収容部３５と連通され電線３が導出される電線導出部３７とを備えている。このハウジング７は、端子収容部３５側が筐体に嵌合され、端子５と強電回路とが接続される。このようなハウジング７の電線導出部３７側には、シェル２５が組付けられる。
【００２９】
シェル２５は、ノイズなどの侵入や漏洩を防止するシールド部材からなり、ハウジング７の電線導出部３７側からハウジング７の外周に組付けられる。このシェル２５は、編組線（不図示）と共にシールドリング２７によって加締められる。
【００３０】
シールドリング２７は、導電性材料からなり、シェル２５の外周に配置され、編組線とシェル２５とを加締め、シールド回路を形成する。このシールドリング２７が組付けられるハウジング７の電線導出部３７の内部には、防水部材２９が配置される。
【００３１】
防水部材２９は、ゴム栓からなり、内周が電線３の外周に密着された状態で、ハウジング７の電線導出部３７の内部に配置される。この防水部材２９は、外周がハウジング７の電線導出部３７の内周面に密着されてハウジング７と電線３との間をシールしてハウジング７の内部と外部とを区画する。このような防水部材２９は、ハウジング７の電線導出部３７の開口に組付けられるリヤホルダ３１によってハウジング７からの脱落が防止される。
【００３２】
リヤホルダ３１は、絶縁性樹脂からなり、半楕円状に形成された２つの分割部材３９，４１で構成されている。この２つの分割部材３９，４１は、防水部材２９の後端側に電線３を挟んで組付けられる。このリヤホルダ３１は、ハウジング７の電線導出部３７の開口に挿入されてハウジング７の内部を閉塞するように組付けられ、防水部材２９のハウジング７からの脱落を防止する。このようなリヤホルダ３１が組付けられるハウジング７の端子収容部３５の外周には、パッキン３３が組付けられる。
【００３３】
パッキン３３は、ゴムなどの弾性材料からなり、ハウジング７の端子収容部３５の外周に密着して組付けられる。このパッキン３３は、ハウジング７が筐体と嵌合した状態で、ハウジング７と筐体との間をシールしてハウジング７の内部と外部及び筐体の内部と外部とを区画する。このようなパッキン３３が組付けられるハウジング７の端子収容部３５の開口には、フロントホルダ１１が組付けられ、パッキン３３のハウジング７からの脱落が防止される。
【００３４】
フロントホルダ１１は、絶縁性樹脂からなり、楕円形の蓋状に形成され、ハウジング７の端子収容部３５の開口を閉塞するように端子５の接続部９を挿通して組付けられる。このフロントホルダ１１は、ハウジング７に組付けられることにより端子５を端子収容部３５の正規位置に位置させて保持すると共に、端子５のハウジング７からの抜けを防止する。
【００３５】
このようなフロントホルダ１１によってハウジング７からの抜けが防止された端子５は、ハウジング係止突部１５とホルダ係止突部１７とに係止され、ハウジング７の電線導出部３７側からの抜けが防止されている。
【００３６】
ハウジング係止突部１５は、ハウジング７の端子収容部３５の内壁から端子収容部３５の内部に向けて連続する一部材で突設されている。このため、ハウジング係止突部１５は、剛性を有しており、撓むことがない。また、ハウジング係止突部１５の先端側には、電線導出部３７側から端子５を挿入可能な挿入隙間１３が設けられている。この挿入隙間１３には、ハウジング係止突部１５が撓まないため、フロントホルダ１１をハウジング７に組付けず、端子５を端子収容部３５に挿入した状態で、端子５の接続部９が配置される。また、ハウジング係止突部１５の電線導出部３７側には、端子収容部３５側に向けて下り傾斜となる端子案内部２１が設けられている。この端子案内部２１は、電線導出部３７側から端子５を収容するときに、端子５の先端部と当接して端子５を挿入隙間１３に導く。
【００３７】
このハウジング係止突部１５は、フロントホルダ１１をハウジング７に組付けることにより、端子５が正規位置に位置するようにハウジング係止突部１５側に移動され、端子５の接続部９に設けられた係合孔部１９に係合して端子５を係止する。このハウジング係止突部１５の端子５の係止により、端子５がハウジング７の電線導出部３７側から抜けるのを防止することができる。このようなハウジング係止突部１５の端子５の長さ方向と直交する方向には、ホルダ係止突部１７が対向配置されている。
【００３８】
ホルダ係止突部１７は、ハウジング係止突部１５に対して端子５の長さ方向の同一位置となるように、フロントホルダ１１の内壁から端子収容部３５の内部に向けて連続する一部材で突設されている。このため、ホルダ係止突部１７は、剛性を有しており、撓むことがない。また、ホルダ係止突部１７の電線導出部３７側には、端子収容部３５側に向けて上り傾斜となるホルダ案内部２３が設けられている。このホルダ案内部２３は、ハウジング７に端子５が収容された状態でフロントホルダ１１をハウジング７に組付けるときに、端子５の先端部と当接して端子５をハウジング係止突部１５側に移動させてホルダ係止突部１７を挿入隙間１３に導く。
【００３９】
このホルダ係止突部１７は、ハウジング７に端子５が収容された状態でフロントホルダ１１をハウジング７に組付けることにより、ホルダ案内部２３による端子５の移動によって挿入隙間１３に挿入され、フロントホルダ１１がハウジング７に組付けられた状態で端子５の係合孔部１９に係合して端子５を係止する。このホルダ係止突部１７の端子５の係止により、ハウジング係止突部１５と共に二重係止となって、さらに端子５がハウジング７の電線導出部３７側から抜けるのを防止することができる。
【００４０】
なお、ハウジング係止突部１５とホルダ係止突部１７とでは、係合孔部１９に対する係止代がハウジング係止突部１５の方が大きくなっているが、例えば、ハウジング７の端子収容部３５のサイズに制約があり、挿入隙間１３を設けられない場合には、ハウジング係止突部１５とホルダ係止突部１７との係止代を同等とする、或いはホルダ係止突部１７の係止代を大きくしてもよい。
【００４１】
このようなコネクタ１では、ハウジング７に、端子５をハウジング７に挿入可能な挿入隙間１３を有し、フロントホルダ１１が組付けられた状態で端子５を係止して端子５がハウジング７の電線３側から抜けるのを防止するハウジング係止突部１５が設けられているので、ハウジング係止突部１５をランスのような撓み可能に設ける必要がなく、ハウジング係止突部１５の外力に対する耐力を向上することができる。
【００４２】
従って、このようなコネクタ１では、ハウジング係止突部１５の外力による損傷を大幅に抑制することができ、ハウジング７に対する端子５の保持安定性を向上することができる。
【００４３】
また、端子５は、ハウジング係止突部１５とホルダ係止突部１７とに係止されるので、より強固に端子５の抜けを防止でき、ハウジング７に対する端子５の保持安定性をさらに向上することができる。
【００４４】
さらに、ハウジング係止突部１５とホルダ係止突部１７とは、端子の長さ方向と直交する方向に対向して配置されているので、端子５に外力が加わったとしても、少なくともいずれか一方の係止突部によって端子５を係止することができる。
【００４５】
また、ホルダ係止突部１７は、ハウジング係止突部１５が有する挿入隙間１３に挿入されるので、ホルダ係止突部１７をランスのような撓み可能に設ける必要がなく、ホルダ係止突部１７の外力に対する耐力を向上することができる。
【００４６】
さらに、ハウジング係止突部１５とホルダ係止突部１７とは、端子５の長さ方向の同一位置に設けられ、端子５に設けられた係合孔部１９に係合されるので、端子５の係合孔部１９を共用化することができ、端子５の構造を簡易化することができる。
【００４７】
また、ハウジング係止突部１５には、端子５を挿入隙間１３に導く端子案内部２１が設けられ、ホルダ係止突部１７には、ホルダ係止突部１７を挿入隙間１３に導くホルダ案内部２３が設けられているので、ハウジング７に対する端子５及びフロントホルダ１１の組付けにより容易にハウジング係止突部１５及びホルダ係止突部１７を端子５に係止させることができ、組付性を向上することができる。
【００４８】
なお、本発明の実施の形態に係るコネクタでは、フロントホルダにホルダ係止突部を設けているが、ハウジング係止突部のみで十分に端子を係止することができれば、ハウジング係止突部だけであってもよい。
【００４９】
また、ハウジング係止突部とホルダ係止突部とは、端子に設けられた同一の係合孔部に係合されているが、ハウジング係止突部とホルダ係止突部とをそれぞれ別の係合孔部に係合させてもよい。
【符号の説明】
【００５０】
１…コネクタ
３…電線
５…端子
７…ハウジング
９…接続部
１１…フロントホルダ
１３…挿入隙間
１５…ハウジング係止突部
１７…ホルダ係止突部
１９…係合孔部
２１…端子案内部
２３…ホルダ案内部
【図１】
0005863181.tif 000002
【図２】
0005863181.tif 000003
【図３】
0005863181.tif 000004
【図４】
0005863181.tif 000005